【事件の表示】
　平成　２年特許願第　５０４９１号「反射防止膜」拒絶査定に対する審判事件［平成　３年１１月１１日出願公開、特開平　３−２５１８０１］について、次のとおり審決する。
【結　論】
　本件審判の請求は、成り立たない。
【理　由】
１．手続の経緯・本願発明　
　本願は、平成２年３月１日の出願であって、その請求項１に係る発明は、平成１１年１月２５日付けの手続補正書により補正された明細書及び図面の記載からみて、特許請求の範囲に記載された次のとおりのものと認める。
「１．　１．４〜１．９の範囲内の屈折率を有する透明な光学部品の入射面および／または射出面に設けられる反射防止膜であって、光学部品の表面側から順次、第１乃至第３層を積層してなり、第１層は屈折率１．５〜１．８の低屈折率材料により光学的厚さが、中心波長をλ０として（λ０／４）の１．３〜１．５倍であるように形成され、第２層は、金属または導電性の金属酸化物で屈折率１．９５〜２．０５の高屈折率材料により光学的厚さが、（λ０／４）の０．１〜０．５倍であるように形成され、第３層は屈折率１．２〜１．９の低屈折率材料により光学的厚さが（λ０／４）の０．９〜１．２倍であるように形成され、上記中心波長λ０は、上記第１層に対しては、４２０〜４３０ｎｍの範囲内の波長として設定され、上記第２層に対しては、４００〜６００ｎｍの範囲内の波長として設定され、上記第３層に対しては、５４０〜５８０ｎｍの範囲内の波長として設定され、可視光の全域にわたり透過率が９５％以上となるように、上記各層に対する材料の屈折率、中心波長λ０、光学的厚さが定められたことを特徴とする反射防止膜。」（以下、「本願発明」という。）
２．引用例
　これに対して、原査定における拒絶の理由に引用された、特開昭６３−１３９３０２号公報（以下、「引用例３」という。）には、
「本発明の反射防止膜を有する光学成形物品は、
ａ）透明基材の少なくとも一部に、該基材から大気側に向かって　イ，ロ，ハ或いはロ，ハの多層の薄膜からなる反射防止膜を施すにあたり、
ｂ）イ，ロ，ハの三層の光学特性は、各々、
イ　１．５５＜ｎａ＜１．８０
　　　ｎａ×ｄａ＝λ１／４（ｎｍ）
ロ　１．６５＜ｎｂ＜２．２５
　　　ｎｂ×ｄｂ＝ｍλ２／４（ｎｍ）
　　　ｎｂ＞ｎａ
ハ　１．３５＜ｎｃ＜１．５０
　　　ｎｃ×ｄｃ＝λ３／４（ｎｍ）
（ここで、ｎａ，ｎｂ，ｎｃ及びｄａ，ｄｂ，ｄｃは、各々イ層，ロ層，ハ層の屈折率および膜厚（ｎｍ）を表わし、ｍは、１または２である。また、設計波長をλ０とすると、λ１，λ３は、それぞれ独立に（１±０．２）λ０の範囲内の、そしてλ２は（１±０．５）λ０の範囲内の任意の波長（ｎｍ）を表わす。また、ｎａ＞（基材の屈折率）である。）の条件を満たし、
ｃ）イおよびロの各薄膜を形成する液状組成物中に高屈折率成分として、粒径１〜４０ｍμである酸化チタン微粒子を必須成分とし、
ｄ）イ，ロ，ハの各薄膜は、それぞれ液状組成物を塗布し、乾燥、加熱或いは活性エネルギー線により硬化させて施すことを特徴とするものである。」（３頁右上欄９行〜左下欄１６行）、
「これらの光学膜厚は、イ層およびハ層は、各々（１±０．２）λ０／４の範囲内で、ロ層は、（１±０．５）λ０／４または（１±０．５）λ０／２の範囲内である事が必要で、これらの範囲から外れると、反射防止効果が充分でなくなる。ここでλ０は、目的とする波長領域から選ばれる設計波長である。」（４頁左上欄２行〜８行）、
「このようにして得られたレンズは、淡い緑色の反射干渉色を示し、また可視光透過率は９７％であった。尚、未処理の可視光透過率は９２％であった。」（６頁右下欄２行〜５行）が記載されており、さらに、第２図の実施例１の片面の反射スペクトル図より、対象とする波長は「３７０〜７５０ｎｍ」の範囲であることが見て取れる。
　また、同特開昭６１−１６８８９９号公報（以下、「引用例１」という。）には、
「本発明において透明板には板ガラスあるいはポリカーボネイトなどの透明なプラスチック板が使用できるが、通常ガラス板が使用される。多層反射防止膜を形成する光学材料には低屈折率層を形成する材料として屈折率ｎが１．３〜１．５程度の値を有する物質、例えばＭｇＦ２，ＳｉＯ２等が使用でき、中屈折率層を形成する材料として屈折率ｎが１．６〜１．８程度の値を有する物質例えばＡｌ２Ｏ３，ＣｅＦ３，ＴｈＯ２等が使用でき、高屈折率を形成する材料として、屈折率ｎが１．９〜２．５程度の値を有し、且つ透明電導膜を形成するＩｎ２Ｏ３，ＳｎＯ２，Ｉｎ２Ｏ３とＳｎＯ２との混合物（以下ＩＴＯという），ＺｎＯ２，ＣｄＯ等が使用できる。」（２頁左上欄１５行〜右上欄７行）、
「以下、本発明の実施例について詳述する。
　実施例１
　屈折率１．５２のガラス板の表面に、屈折率が１．６３で且つ厚みが１３０ｎｍのＡｌ２Ｏ３膜を形成して第３層光学層とし、この第３層光学層上に屈折率が２．００で、且つ厚みが２５８ｎｍの導電率が約２０Ω／ＳｑであるＩＴＯ膜を形成して第２層光学層とし、更に第２層光学層上に第１層光学層として屈折率が１．３９で且つ厚みが１２８ｎｍのＭｇＦ２膜を形成した。このガラス板の表面に形成した３層型反射防止膜は真空蒸着法で形成され第１表にその膜構成を示した。
　第１表（略）　（λ０＝５００ｎｍ）
得られた３層型低反射率帯電防止板は第１図に示す分光反射率を呈した。」（２頁左下欄１０行〜右下欄９行）及び第１表が記載されている。
３．対比
　そこで、本願発明と引用例３記載の発明とを対比すると、引用例３記載の発明の「透明基材」、「透明基材から大気側に向かって　イ，ロ，ハの多層」、「光学膜厚」及び「設計波長」は、それぞれ本願発明の「透明な光学部品」、「光学部品の表面側から順次、第１乃至第３層を積層」、「光学的厚さ」及び「中心波長」に相当する。
　してみると、両者は、「１．４〜１．９の範囲内の屈折率を有する透明な光学部品の入射面および／または射出面に設けられる反射防止膜であって、光学部品の表面側から順次、第１乃至第３層を積層してなり、第１層は屈折率１．５〜１．８の低屈折率材料により光学的厚さが、中心波長をλ０として（λ０／４）の所定倍であるように形成され、第２層は、屈折率１．９５〜２．０５の高屈折率材料により光学的厚さが、（λ０／４）の所定倍であるように形成され、第３層は屈折率１．２〜１．９の低屈折率材料により光学的厚さが（λ０／４）の所定倍であるように形成され、上記中心波長λ０は、所定の範囲内の波長として設定され、可視光の全域にわたり透過率が９５％以上となるように、上記各層に対する材料の屈折率、中心波長λ０、光学的厚さが定められたことを特徴とする反射防止膜」である点で一致し、
（１）本願発明の第２層は、金属または導電性の金属酸化物で形成されているのに対し、刊行物３記載の発明の層は、液状組成物で酸化チタン微粒子を含有する点、
（２）本願発明の各層の光学的厚さが、第１層は、中心波長をλ０として（λ０／４）の１．３〜１．５倍、第２層は（λ０／４）の０．１〜０．５倍、第３層は（λ０／４）の０．９〜１．２倍であるように形成され、また上記中心波長λ０は、上記第１層は４２０〜４３０ｎｍ、上記第２層は４００〜６００ｎｍ、上記第３層は５４０〜５８０ｎｍの範囲内の波長として設定されているのに対し、引用例３記載の発明の各層の光学的厚さは第１層は、中心波長をλ０として（１±０．２）λ０、第２層は（１±０．５）λ０／４または（１±０．５）λ０／２、第３層は（１±０．２）λ０／４の範囲内であるように形成され、また上記中心波長λ０は、各層共通で、３７０〜７５０ｎｍの範囲内の波長として設定されている点で相違する。
４．判断
　上記相違点（１）について検討する。
　引用例３の発明と同様に多層反射防止膜に関する引用例１には、高屈折率を形成する材料として「透明電導膜を形成するＩｎ２Ｏ３，ＳｎＯ２，Ｉｎ２Ｏ３とＳｎＯ２との混合物（以下ＩＴＯという），ＺｎＯ２，ＣｄＯ等が使用できる」点及び「ＩＴＯ膜を形成して第２層光学層と」する点が記載されているから、第２層を金属または導電性の金属酸化物で形成することは当業者が適宜なし得る設計事項である。
　次に、上記相違点（２）について検討する。
　多層反射防止膜の設計において、通常は引用例３記載の発明のように反射防止膜を構成する各層の中心波長λ０が共通している。その際には、各層の材料の種類及び屈折率等を選定し、共通の中心波長λ０に所定の係数を乗じて光学的厚さを特定することにより、所定の反射防止性能を得ている。一方、本願発明の各層の光学的厚さは、中心波長λ０は各層によって異なり、且つ所定の係数を更に乗じて、即ち二つの段階を経て光学的厚さを特定している。しかしながら、引用例３記載の発明の場合、中心波長λ０は「３７０〜７５０ｎｍ」の範囲から選ばれるもので、本願発明の各層の中心波長の範囲内を含み、乗じる係数の選択に自由度があることから、形成された各層の光学的厚さは、本願発明の各層の光学的厚さの範囲と重複する範囲を含むことになる。よって、本願発明のように各層の中心波長を異なる範囲に定めて光学的厚さの範囲を設定する点に格別な技術的意義を見いだすことはできないので、相違点（２）は、当業者が適宜成し得る設計事項である。
　そして、本願発明の効果も引用例３及び引用例１の記載から当業者が予想し得るものであって格別のものとは認められない。
５．むすび
　したがって、本願請求項１に係る発明は、引用例３及び引用例１に記載の発明に基づいて、当業者が容易に発明をすることができたものであるから、特許法第２９条第２項の規定により特許を受けることができない。